(57)【要約】【課題】自発光体を点灯する画像表示部において、消費電力を抑制できる表示装置、電子機器及び画像表示方法を提供する。【解決手段】表示装置は、第１副画素、第２副画素及び第３副画素とは異なる追加色成分を自発光体の点灯量に応じて表示する第４副画素と、を含む画素を複数有する画像表示部と、追加色成分への置換比率を算出する置換比率算出部と、入力映像信号に基づいて求められる、所定の画素に表示するための入力色情報が入力信号として入力され、当該入力色情報を、置換比率に基づいて、第１の色成分、第２の色成分、第３の色成分及び追加色成分に変換した出力色情報を含む出力信号に変換し、変換した出力信号を、画像表示部の駆動を制御する駆動回路へ出力する第４副画素信号処理部と、を含む。【選択図】図１
2016014727.tif 000002
【特許請求の範囲】
【請求項１】
第１の色成分を自発光体の点灯量に応じて表示するための第１副画素と、
第２の色成分を自発光体の点灯量に応じて表示するための第２副画素と、
第３の色成分を自発光体の点灯量に応じて表示するための第３副画素と、
前記第１副画素、前記第２副画素及び前記第３副画素よりも輝度又は表示する電力効率が高く、かつ前記第１副画素、前記第２副画素及び前記第３副画素とは異なる追加色成分を自発光体の点灯量に応じて表示する第４副画素と、
を含む画素を複数有する画像表示部と、
前記追加色成分への置換比率を算出する置換比率算出部と、
入力映像信号に基づいて求められる、所定の画素に表示するための入力色情報が入力信号として入力され、当該入力色情報を、前記置換比率に基づいて、前記赤成分、前記緑成分、前記青成分及び前記追加色成分に変換した出力色情報を含む出力信号に変換し、変換した出力信号を、前記画像表示部の駆動を制御する駆動回路へ出力する第４副画素信号処理部と、を含む表示装置。
【請求項２】
前記置換比率算出部は、前記第１副画素、前記第２副画素及び前記第３副画素を組み合わせて表示される追加色と前記第４副画素で表示される追加色との誤差と、前記入力信号の白成分の輝度に対するその他の成分の輝度の割合に基づいて算出される表示色の誤差が許容値以下となる範囲で、前記置換比率を算出する請求項１に記載の表示装置。
【請求項３】
前記置換比率算出部は、前記第１副画素、前記第２副画素及び前記第３副画素を組み合わせて表示される追加色と前記第４副画素で表示される追加色との誤差と、前記入力信号の白成分の輝度に対するその他の成分の輝度の割合に基づいて算出される表示色の誤差が閾値範囲となる前記置換比率を算出する請求項１に記載の表示装置。
【請求項４】
前記置換比率算出部は、前記入力色情報の輝度、明度、彩度及び色相の少なくとも１つに基づいて前記置換比率を算出する請求項１から３のいずれか一項に記載の表示装置。
【請求項５】
前記第１副画素、前記第２副画素及び前記第３副画素を組み合わせて表示される追加色と前記第４副画素で表示される追加色との誤差は、表示する追加色の輝度が高くなるほど小さくなる関係であり、
前記置換比率算出部は、前記入力色情報の前記第１の色成分、前記第２の色成分及び前記第３の色青成分の最小の値が所定値よりも小さい場合、前記第１の色成分、前記第２の色成分及び前記第３の色成分の最大の値が高いほど、前記置換比率を高くする請求項４に記載の表示装置。
【請求項６】
前記置換比率算出部は、前記入力色情報の前記第１の色成分、前記第２の色成分及び前記第３の色成分の最小の値が所定値よりも高い場合、前記置換比率を所定値よりも高くする請求項５に記載の表示装置。
【請求項７】
前記置換比率算出部は、前記第１の色成分、前記第２の色成分及び前記第３の色成分のうち最小の値とゲインとの関係を記憶しており、前記関係と前記入力色情報に基づいて算出したゲインと
前記入力色情報の輝度、明度、彩度及び色相の少なくとも１つに基づいてゲインを決定し、ゲインと前記入力色情報の輝度、明度、彩度及び色相の少なくとも１つに基づいて算出した調整項と、に基づいて、前記置換比率を算出し、
前記調整項は、前記ゲインが小さい範囲で、高い値が対応つけられている請求項４から６のいずれか一項に記載の表示装置。
【請求項８】
前記置換比率算出部は、前記入力色情報に基づいた信号値に対して演算処理を行い、前記置換比率を算出する請求項１から７のいずれか一項に記載の表示装置。
【請求項９】
前記入力信号は、前記入力映像信号を補正して生成される信号である請求項１から８のいずれか一項に記載の表示装置。
【請求項１０】
前記第４副画素信号処理部は、前記入力色情報に基づいて、前記赤成分、前記緑成分、前記青成分及び前記追加色成分に変換した変換後色情報を含む変換後入力信号を算出し、
前記置換比率算出部は、前記変換後入力信号の前記追加色成分に基づいて前記置換比率を算出し、
前記第４副画素信号処理部は、出力色情報を前記置換比率に基づいて処理して、前記出力信号を生成する請求項１から９のいずれか一項に記載の表示装置。
【請求項１１】
請求項１から１０のいずれか１項に記載の表示装置を備える電子機器。
【請求項１２】
第１の色成分を自発光体の点灯量に応じて表示するための第１副画素と、
第２の色成分を自発光体の点灯量に応じて表示するための第２副画素と、
第３の色成分を自発光体の点灯量に応じて表示するための第３副画素と、
前記第１副画素、前記第２副画素及び前記第３副画素よりも輝度又は表示する電力効率が高く、かつ前記第１副画素、前記第２副画素及び前記第３副画素とは異なる追加色成分を自発光体の点灯量に応じて表示する第４副画素と、
を含む画素を複数有する画像表示部の駆動回路へ供給する入力信号の画像表示方法であって、
前記追加色成分への置換比率を算出する算出ステップと、
入力映像信号に基づいて求められる、所定の画素に表示するための入力色情報が第１入力信号として入力され、当該入力色情報を、前記置換比率に基づいて、前記第１の色成分、前記第２の色成分、前記第３の色成分及び前記追加色成分に変換した出力色情報を含む出力信号に変換し、変換した出力信号を、前記画像表示部の駆動を制御する駆動回路へ出力する４副画素信号処理ステップと、を含む画像表示方法。
【発明の詳細な説明】
【技術分野】
【０００１】
本開示は、表示装置、電子機器及び画像表示方法に関する。
【背景技術】
【０００２】
従来から、画素Ｒ（赤）、Ｇ（緑）及びＢ（青）に加え、画素Ｗ（白）を追加したＲＧＢＷ方式の液晶パネルを用いた液晶表示装置が採用されている。このＲＧＢＷ方式の液晶表示装置は、画像表示を決定付けるＲＧＢデータに基づくバックライトからの光の画素Ｒ、Ｇ及びＢにおける透過量を、画素Ｗに振り分けて画像を表示させることによって、バックライトの輝度を低減させることを可能とし、消費電力を低減している。
【０００３】
また液晶表示装置以外にも、有機発光ダイオード（ＯＬＥＤ）のような自発光体を点灯する画像表示パネルが知られている。例えば特許文献１には、４色カラー出力信号に対応する光を放射する発光体を有する表示装置を駆動するために、３色の色域画定原色に対応する３色カラー入力信号（Ｒ，Ｇ，Ｂ）を該色域画定原色と１つの追加原色Ｗとに対応する４色のカラー出力信号（Ｒ’，Ｇ’，Ｂ’，Ｗ）に変換するための方法が記載されている。
【先行技術文献】
【特許文献】
【０００４】
【特許文献１】特表２００７−５１４１８４号公報
【発明の概要】
【発明が解決しようとする課題】
【０００５】
自発光体を点灯する画像表示パネルを備える表示装置は、バックライトが不要であり、各画素の自発光体の点灯量に応じて、表示装置の電力量が決まる。ここで、表示装置は、自発光体の特性に基づいて画素Ｗに置換する割合、置換比率を決定する。このため、置換比率が小さいと消費電力の低減が少なくなる。しかしながら、置換比率を高く設定すると、表示させる予定の色と実際に表示された色との間に誤差が生じる。
【０００６】
本開示は、自発光体を点灯する画像表示部において、表示される色に生じる誤差を抑制しつつ、消費電力を抑制できる表示装置、電子機器及び画像表示方法を提供することを目的とする。
【課題を解決するための手段】
【０００７】
本開示の表示装置は、第１の色成分を自発光体の点灯量に応じて表示するための第１副画素と、第２の色成分を自発光体の点灯量に応じて表示するための第２副画素と、第３の色成分を自発光体の点灯量に応じて表示するための第３副画素と、前記第１副画素、前記第２副画素及び前記第３副画素よりも輝度又は表示する電力効率が高く、かつ前記第１副画素、前記第２副画素及び前記第３副画素とは異なる追加色成分を自発光体の点灯量に応じて表示する第４副画素と、を含む画素を複数有する画像表示部と、前記追加色成分への置換比率を算出する置換比率算出部と、入力映像信号に基づいて求められる、所定の画素に表示するための入力色情報が入力信号として入力され、当該入力色情報を、前記置換比率に基づいて、前記赤成分、前記緑成分、前記青成分及び前記追加色成分に変換した出力色情報を含む出力信号に変換し、変換した出力信号を、前記画像表示部の駆動を制御する駆動回路へ出力する第４副画素信号処理部と、を含む。
【０００８】
本開示の電子機器は、本開示の表示装置を備える。
【０００９】
本開示の画像表示方法は、第１の色成分を自発光体の点灯量に応じて表示するための第１副画素と、第２の色成分を自発光体の点灯量に応じて表示するための第２副画素と、第３の色成分を自発光体の点灯量に応じて表示するための第３副画素と、前記第１副画素、前記第２副画素及び前記第３副画素よりも輝度又は表示する電力効率が高く、かつ前記第１副画素、前記第２副画素及び前記第３副画素とは異なる追加色成分を自発光体の点灯量に応じて表示する第４副画素と、を含む画素を複数有する画像表示部の駆動回路へ供給する入力信号の画像表示方法であって、前記追加色成分への置換比率を算出する算出ステップと、入力映像信号に基づいて求められる、所定の画素に表示するための入力色情報が第１入力信号として入力され、当該入力色情報を、前記置換比率に基づいて、前記第１の色成分、前記第２の色成分、前記第３の色成分及び前記追加色成分に変換した出力色情報を含む出力信号に変換し、変換した出力信号を、前記画像表示部の駆動を制御する駆動回路へ出力する４副画素信号処理ステップと、を含む。
【００１０】
本開示の表示装置、電子機器及び画像表示方法は、表示される色の誤差を低減しつつ第４副画素の点灯量が増えるようにするので、消費電力を抑制できる。
【図面の簡単な説明】
【００１１】
【図１】図１は、本実施形態に係る表示装置の構成の一例を示すブロック図である。
【図２】図２は、本実施形態に係る画像表示部の画素が含む副画素の点灯駆動回路を示す図である。
【図３】図３は、本実施形態に係る画像表示部の副画素の配列を示す図である。
【図４】図４は、本実施形態に係る画像表示部の断面構造を示す図である。
【図５】図５は、本実施形態に係る画像表示部の副画素の配列を示す図である。
【図６】図６は、本実施形態の表示装置で再現可能な再現ＨＳＶ色空間の概念図である。
【図７】図７は、再現ＨＳＶ色空間の色相と彩度との関係を示す概念図である。
【図８】図８は、本実施形態に係る画像表示方法を説明するためのフローチャートである。
【図９】図９は、本実施形態に係る画像表示方法を説明するための説明図である。
【図１０】図１０は、本実施形態に係る画像表示方法を説明するための説明図である。
【図１１】図１１は、本実施形態に係る画像表示方法を説明するための説明図である。
【図１２】図１２は、白成分の輝度とゲインとの関係の一例を示すグラフである。
【図１３Ａ】図１３Ａは、信号と置換比率との関係の一例を示す説明図である。
【図１３Ｂ】図１３Ｂは、信号と置換比率との関係の一例を示す説明図である。
【図１３Ｃ】図１３Ｃは、信号と置換比率との関係の一例を示す説明図である。
【図１３Ｄ】図１３Ｄは、信号と置換比率との関係の一例を示す説明図である。
【図１４】図１４は、他の実施形態に係る表示装置の構成の一例を示すブロック図である。
【図１５】図１５は、他の実施形態に係る画像表示方法を説明するためのフローチャートである。
【図１６】図１６は、本実施形態に係る表示装置を適用する電子機器の一例を示す図である。
【図１７】図１７は、本実施形態に係る表示装置を適用する電子機器の一例を示す図である。
【図１８】図１８は、本実施形態に係る表示装置を適用する電子機器の一例を示す図である。
【図１９】図１９は、本実施形態に係る表示装置を適用する電子機器の一例を示す図である。
【図２０】図２０は、本実施形態に係る表示装置を適用する電子機器の一例を示す図である。
【図２１】図２１は、本実施形態に係る表示装置を適用する電子機器の一例を示す図である。
【図２２】図２２は、本実施形態に係る表示装置を適用する電子機器の一例を示す図である。
【図２３】図２３は、本実施形態に係る表示装置を適用する電子機器の一例を示す図である。
【図２４】図２４は、本実施形態に係る表示装置を適用する電子機器の一例を示す図である。
【発明を実施するための形態】
【００１２】
発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１３】
（表示装置の構成）
図１は、本実施形態に係る表示装置の構成の一例を示すブロック図である。図２は、本実施形態に係る画像表示部の画素が含む副画素の点灯駆動回路を示す図である。図３は、本実施形態に係る画像表示部の副画素の配列を示す図である。図４は、本実施形態に係る画像表示部の断面構造を示す図である。図５は、本実施形態に係る画像表示部の副画素の配列を示す図である。
【００１４】
図１に示すように、表示装置１００は、変換処理部１０と、置換比率算出部１５と、第４副画素信号処理部２０と、画像表示パネルである画像表示部３０と、画像表示部３０の駆動を制御する画像表示パネル駆動回路４０（以下、駆動回路４０ともいう。）と、を備えている。変換処理部１０と、第４副画素信号処理部２０とは、ハードウェア又はソフトウェアのいずれかによって機能が実現されていればよく、特に限定されるものではない。また、変換処理部１０及び第４副画素信号処理部２０の各回路がハードウェアによって構成されるものであっても、それぞれの回路が物理的に独立して区別される必要はなく、物理的に単一の回路によって複数の機能が実現されるものとしてもよい。
【００１５】
変換処理部１０は、入力映像信号に基づいて求められる、所定の画素に表示するための第１色情報（入力色情報）を第１入力信号（入力色情報）ＳＲＧＢ１として入力される。変換処理部１０は、ＨＳＶ色空間の入力値である第１色情報を、第２色情報（変換後入力色情報）に変換した第２入力信号（変換後入力色情報）ＳＲＧＢ２を出力する。第１色情報及び第２色情報は、ともに赤（Ｒ）成分、緑（Ｇ）成分、青（Ｂ）成分を含む、３色のカラー入力信号（Ｒ、Ｇ、Ｂ）である。なお、変換処理部１０は、第１色情報の赤（Ｒ）成分、緑（Ｇ）成分、青（Ｂ）成分を調整する補正（色空間補正）や、γ補正を行う。色空間補正としては種々の補正を行うことができる。
【００１６】
置換比率算出部１５は、入力信号の入力ＨＳＶ色空間の入力値（第２入力信号ＳＲＧＢ２）を、第１の色、第２の色、第３の色及び第４の色で再現される再現ＨＳＶ色空間の再現値（第３入力信号ＳＲＧＢＷ）に変換する際に、第４の色に置換する比率を算出する。具体的には、置換比率算出部１５は、第２入力信号ＳＲＧＢ２に基づいて算出された第４の色に置換できる値のうち第４の色に置換する比率を算出する。本実施形態は、第４の色をＷとした場合なので、変換比率がＷ置換比率となる。変換比率の算出については、後述する。
【００１７】
第４副画素信号処理部２０は、画像表示部３０を駆動するための画像表示パネル駆動回路４０と接続されている。例えば、第４副画素信号処理部２０は、入力信号の入力ＨＳＶ色空間の入力値（第２入力信号ＳＲＧＢ２）を、第１の色、第２の色、第３の色及び第４の色で再現される再現ＨＳＶ色空間の再現値（第３入力信号ＳＲＧＢＷ）に変換して生成し、生成した出力信号を画像表示部３０に出力する。ここで、第４副画素信号処理部２０は、第２入力信号ＳＲＧＢ２と置換比率算出部１５で算出した変換比率に基づいて、第３入力信号ＳＲＧＢＷを生成する。このように、第４副画素信号処理部２０は、第２入力信号ＳＲＧＢ２における第２色情報に基づいて、赤（Ｒ）成分、緑（Ｇ）成分、青（Ｂ）成分及び追加色成分として例えば白色（Ｗ）成分に変換した第３色情報を含む第３入力信号ＳＲＧＢＷを、駆動回路４０へ出力する。第３色情報は、４色カラー入力信号（Ｒ、Ｇ、Ｂ、Ｗ）である。追加色成分は、赤（Ｒ）成分、緑（Ｇ）成分、青（Ｂ）成分の各階調が２５６階調で（Ｒ、Ｇ、Ｂ）＝（２５５、２５５、２５５）のＲＧＢで構成される白成分を例として説明するが、これに限らず、例えば、（Ｒ、Ｇ、Ｂ）＝（２５５、２３０、２０４）で表されるような色成分をもつ第４副画素として追加色成分の変換を行うものであっても良い。
【００１８】
なお、本実施形態では、上述したように変換処理は入力信号（例えばＲＧＢ）をＨＳＶ空間に変換した処理について例示して説明しているが、これに限らず、ＸＹＺ空間、ＹＵＶ空間その他の座標系でもよい。また、ディスプレイの色域であるｓＲＧＢやＡｄｏｂｅ（登録商標）ＲＧＢの色域は、ＸＹＺ表色系のｘｙ色度範囲上において、三角形状の範囲で示されるが、定義色域が定義される所定の色空間は、三角形状の範囲で定められることに限定されるものではなく、多角形状等の任意の形状の範囲で定められるものとしてもよい。
【００１９】
第４副画素信号処理部２０は、生成した出力信号を画像表示パネル駆動回路４０に出力する。駆動回路４０は、画像表示部３０の制御装置であって、信号出力回路４１、走査回路４２及び電源回路４３を備えている。画像表示部３０の駆動回路４０は、信号出力回路４１によって、第３色情報を含む第３入力信号ＳＲＧＢＷを保持し、順次、画像表示部３０の各画素３１に出力する。信号出力回路４１は、信号線ＤＴＬによって画像表示部３０と電気的に接続されている。画像表示部３０の駆動回路４０は、走査回路４２によって、画像表示部３０における副画素を選択し、副画素の動作（光透過率）を制御するためのスイッチング素子（例えば、薄膜トランジスタ（ＴＦＴ；Thin  Film  Transistor））のオン及びオフを制御する。走査回路４２は、走査線ＳＣＬによって画像表示部３０と電気的に接続されている。電源回路４３は、電源線ＰＣＬによって各画素３１の後述する自発光体へ電力を供給する。
【００２０】
なお、表示装置１００は、特許第３１６７０２６号公報、特許第３８０５１５０号公報、特許第４８７０３５８号公報、特開２０１１−９０１１８号公報、特開２００６−３４７５号公報に記載されている各種変形例が適用可能である。
【００２１】
図１に示すように、画像表示部３０は、画素３１が、Ｐ０×Ｑ０個（行方向にＰ０個、列方向にＱ０個）、２次元のマトリクス状（行列状）に配列されている。
【００２２】
画素３１は、複数の副画素３２を含み、図２に示す副画素３２の点灯駆動回路が２次元のマトリクス状（行列状）に配列されている。点灯駆動回路は、制御用トランジスタＴｒ１と、駆動用トランジスタＴｒ２と、電荷保持用コンデンサＣ１とを含む。制御用トランジスタＴｒ１のゲートが走査線ＳＣＬに接続され、ソースが信号線ＤＴＬに接続され、ドレインが駆動用トランジスタＴｒ２のゲートに接続されている。電荷保持用コンデンサＣ１の一端が駆動用トランジスタＴｒ２のゲートに接続され、他端が駆動用トランジスタＴｒ２のソースに接続されている。駆動用トランジスタＴｒ２のソースが、電源線ＰＣＬと接続されており、駆動用トランジスタＴｒ２のドレインが、自発光体である有機発光ダイオードＥ１のアノードに接続されている。有機発光ダイオードＥ１のカソードは、例えば基準電位（例えばアース）に接続されている。なお図２では、制御用トランジスタＴｒ１がｎチャネル型トランジスタ、駆動用トランジスタＴｒ２がｐチャネル型トランジスタの例を示しているが、それぞれのトランジスタの極性はこれに限定されない。必要に応じて、制御用トランジスタＴｒ１及び駆動用トランジスタＴｒ２それぞれの極性を決めればよい。
【００２３】
画素３１は、図３に示すように、例えば、第１副画素３２Ｒと、第２副画素３２Ｇと、第３副画素３２Ｂと、第４副画素３２Ｗとを有する。第１副画素３２Ｒは、第１原色（例えば、赤色（Ｒ）成分）を表示する。第２副画素３２Ｇは、第２原色（例えば、緑色（Ｇ）成分）を表示する。第３副画素３２Ｂは、第３原色（例えば、青色（Ｂ）成分）を表示する。第４副画素３２Ｗは、第１原色、第２原色及び第３原色とは異なる追加色成分としての第４の色（具体的には白色）を表示する。以下において、第１副画素３２Ｒと、第２副画素３２Ｇと、第３副画素３２Ｂと、第４副画素３２Ｗとをそれぞれ区別する必要がない場合、副画素３２という。
【００２４】
画像表示部３０は、基板５１と、絶縁層５２、５３と、反射層５４と、下部電極５５と、自発光層５６と、上部電極５７と、絶縁層５８と、絶縁層５９と、色変換層としてのカラーフィルタ６１Ｒ、６１Ｇ、６１Ｂ、６１Ｗと、遮光層としてのブラックマトリクス６２と、基板５０とを備えている（図４参照）。なお、カラーフィルタ６１Ｗは、設けなくてもよい。基板５１は、シリコンなどの半導体基板、ガラス基板、樹脂基板などであって、上述した点灯駆動回路などを形成又は保持している。絶縁層５２は、上述した点灯駆動回路などを保護する保護膜であり、シリコン酸化物、シリコン窒化物などを用いることができる。下部電極５５は、第１副画素３２Ｒと、第２副画素３２Ｇと、第３副画素３２Ｂと、第４副画素３２Ｗとにそれぞれ設けられており、上述した有機発光ダイオードＥ１のアノード（陽極）となる導電体である。下部電極５５は、インジウム錫酸化物（Indium  Tin  Oxide：ＩＴＯ）等の透光性導電材料（透光性導電酸化物）で形成される透光性電極である。絶縁層５３は、バンクと呼ばれ、第１副画素３２Ｒと、第２副画素３２Ｇと、第３副画素３２Ｂと、第４副画素３２Ｗとを区画する絶縁層である。反射層５４は、自発光層５６からの光を反射する金属光沢のある材料、例えば銀、アルミニウム、金などで形成されている。自発光層５６は、有機材料を含み、不図示のホール注入層、ホール輸送層、発光層、電子輸送層、電子注入層を含む。
【００２５】
（ホール輸送層）
正孔を発生する層としては、例えば、芳香族アミン化合物と、その化合物に対して電子受容性を示す物質とを含む層を用いることが好ましい。ここで、芳香族アミン化合物とは、アリールアミン骨格を有する物質である。芳香族アミン化合物の中でも特に、トリフェニルアミンを骨格に含み、４００以上の分子量を有するものが好ましい。また、トリフェニルアミンを骨格に有する芳香族アミン化合物の中でも特にナフチル基のような縮合芳香環を骨格に含むものが好ましい。トリフェニルアミンと縮合芳香環とを骨格に含む芳香族アミン化合物を用いることによって、発光素子の耐熱性が良くなる。芳香族アミン化合物の具体例としては、例えば、４，４’−ビス［Ｎ−（１−ナフチル）−Ｎ−フェニルアミノ］ビフェニル（略称：α−ＮＰＤ）、４，４’−ビス［Ｎ−（３−メチルフェニル）−Ｎ−フェニルアミノ］ビフェニル（略称：ＴＰＤ）、４，４’，４’’−トリス（Ｎ，Ｎ−ジフェニルアミノ）トリフェニルアミン（略称：ＴＤＡＴＡ）、４，４’，４’’−トリス［Ｎ−（３−メチルフェニル）−Ｎ−フェニルアミノ］トリフェニルアミン（略称：ＭＴＤＡＴＡ）、４，４’−ビス［Ｎ−｛４−（Ｎ，Ｎ−ジ−ｍ−トリルアミノ）フェニル｝−Ｎ−フェニルアミノ］ビフェニル（略称：ＤＮＴＰＤ）、１，３，５−トリス［Ｎ，Ｎ−ジ（ｍ−トリル）アミノ］ベンゼン（略称：ｍ−ＭＴＤＡＢ）、４，４’，４’’−トリス（Ｎ−カルバゾリル）トリフェニルアミン（略称：ＴＣＴＡ）、２，３−ビス（４−ジフェニルアミノフェニル）キノキサリン（略称：ＴＰＡＱｎ）、２，２’，３，３’−テトラキス（４−ジフェニルアミノフェニル）−６，６’−ビスキノキサリン（略称：Ｄ−ＴｒｉＰｈＡＱｎ）、２，３−ビス｛４−［Ｎ−（１−ナフチル）−Ｎ−フェニルアミノ］フェニル｝−ジベンゾ［ｆ，ｈ］キノキサリン（略称：ＮＰＡＤｉＢｚＱｎ）等が挙げられる。また、芳香族アミン化合物に対して電子受容性を示す物質について特に限定はなく、例えば、モリブデン酸化物、バナジウム酸化物、７，７，８，８−テトラシアノキノジメタン（略称：ＴＣＮＱ）、２，３，５，６−テトラフルオロ−７，７，８，８−テトラシアノキノジメタン（略称：Ｆ４−ＴＣＮＱ）等を用いることができる。
【００２６】
（電子注入層、電子輸送層）
電子輸送性物質について特に限定はなく、例えば、トリス（８−キノリノラト）アルミニウム（略称：Ａｌｑ３）、トリス（４−メチル−８−キノリノラト）アルミニウム（略称：Ａｌｍｑ３）、ビス（１０−ヒドロキシベンゾ［ｈ］−キノリナト）ベリリウム（略称：ＢｅＢｑ２）、ビス（２−メチル−８−キノリノラト）−４−フェニルフェノラト−アルミニウム（略称：ＢＡｌｑ）、ビス［２−（２−ヒドロキシフェニル）ベンゾオキサゾラト］亜鉛（略称：Ｚｎ（ＢＯＸ）２）、ビス［２−（２−ヒドロキシフェニル）ベンゾチアゾラト］亜鉛（略称：Ｚｎ（ＢＴＺ）２）等の金属錯体の他、２−（４−ビフェニリル）−５−（４−ｔｅｒｔ−ブチルフェニル）−１，３，４−オキサジアゾール（略称：ＰＢＤ）、１，３−ビス［５−（ｐ−ｔｅｒｔ−ブチルフェニル）−１，３，４−オキサジアゾール−２−イル］ベンゼン（略称：ＯＸＤ−７）、３−（４−ｔｅｒｔ−ブチルフェニル）−４−フェニル−５−（４−ビフェニリル）−１，２，４−トリアゾール（略称：ＴＡＺ）、３−（４−ｔｅｒｔ−ブチルフェニル）−４−（４−エチルフェニル）−５−（４−ビフェニリル）−１，２，４−トリアゾール（略称：ｐ−ＥｔＴＡＺ）、バソフェナントロリン（略称：ＢＰｈｅｎ）、バソキュプロイン（略称：ＢＣＰ）等を用いることができる。また、電子輸送性物質に対して電子供与性を示す物質について特に限定はなく、例えば、リチウム、セシウム等のアルカリ金属、マグネシウム、カルシウム等のアルカリ土類金属、エルビウム、イッテルビウム等の希土類金属等を用いることができる。また、リチウム酸化物（Ｌｉ２Ｏ）、カルシウム酸化物（ＣａＯ）、ナトリウム酸化物（Ｎａ２Ｏ）、カリウム酸化物（Ｋ２Ｏ）、マグネシウム酸化物（ＭｇＯ）等、アルカリ金属酸化物およびアルカリ土類金属酸化物の中から選ばれた物質を、電子輸送性物質に対して電子供与性を示す物質として用いても構わない。
【００２７】
（発光層）
例えば、赤色系の発光を得たいときには、４−ジシアノメチレン−２−イソプロピル−６−［２−（１，１，７，７−テトラメチルジュロリジン−９−イル）エテニル］−４Ｈ−ピラン（略称：ＤＣＪＴＩ）、４−ジシアノメチレン−２−メチル−６−［２−（１，１，７，７−テトラメチルジュロリジン−９−イル）エテニル］−４Ｈ−ピラン（略称：ＤＣＪＴ）、４−ジシアノメチレン−２−ｔｅｒｔ−ブチル−６−［２−（１，１，７，７−テトラメチルジュロリジン−９−イル）エテニル］−４Ｈ−ピラン（略称：ＤＣＪＴＢ）やペリフランテン、２，５−ジシアノ−１，４−ビス［２−（１０−メトキシ−１，１，７，７−テトラメチルジュロリジン−９−イル）エテニル］ベンゼン等、６００ｎｍから６８０ｎｍに発光スペクトルのピークを有する発光を呈する物質を用いることができる。また緑色系の発光を得たいときは、Ｎ，Ｎ’−ジメチルキナクリドン（略称：ＤＭＱｄ）、クマリン６やクマリン５４５Ｔ、トリス（８−キノリノラト）アルミニウム（略称：Ａｌｑ３）等、５００ｎｍから５５０ｎｍに発光スペクトルのピークを有する発光を呈する物質を用いることができる。また、青色系の発光を得たいときは、９，１０−ビス（２−ナフチル）−ｔｅｒｔ−ブチルアントラセン（略称：ｔ−ＢｕＤＮＡ）、９，９’−ビアントリル、９，１０−ジフェニルアントラセン（略称：ＤＰＡ）、９，１０−ビス（２−ナフチル）アントラセン（略称：ＤＮＡ）、ビス（２−メチル−８−キノリノラト）−４−フェニルフェノラト−ガリウム（略称：ＢＧａｑ）、ビス（２−メチル−８−キノリノラト）−４−フェニルフェノラト−アルミニウム（略称：ＢＡｌｑ）等、４２０ｎｍから５００ｎｍに発光スペクトルのピークを有する発光を呈する物質を用いることができる。以上のように、蛍光を発光する物質の他、ビス［２−（３，５−ビス（トリフルオロメチル）フェニル）ピリジナト−Ｎ，Ｃ２’］イリジウム（ＩＩＩ）ピコリナート（略称：Ｉｒ（ＣＦ３ｐｐｙ）２（ｐｉｃ））、ビス［２−（４，６−ジフルオロフェニル）ピリジナト−Ｎ，Ｃ２’］イリジウム（ＩＩＩ）アセチルアセトナート（略称：ＦＩｒ（ａｃａｃ））、ビス［２−（４，６−ジフルオロフェニル）ピリジナト−Ｎ，Ｃ２’］イリジウム（ＩＩＩ）ピコリナート（ＦＩｒ（ｐｉｃ））、トリス（２−フェニルピリジナト−Ｎ，Ｃ２’）イリジウム（略称：Ｉｒ（ｐｐｙ）３）等の燐光を発光する物質も発光物質として用いることができる。
【００２８】
上部電極５７は、インジウム錫酸化物（Indium  Tin  Oxide：ＩＴＯ）等の透光性導電材料（透光性導電酸化物）で形成される透光性電極である。なお本実施形態では、透光性導電材料の例としてＩＴＯを挙げたが、これに限定されない。透光性導電材料として、インジウム亜鉛酸化物（Indium  Zinc  Oxide：ＩＺＯ）等の別の組成を有する導電材料を用いてもよい。上部電極５７は、有機発光ダイオードＥ１のカソード（陰極）になる。絶縁層５８は、上述した上部電極５７を封止する封止層であり、シリコン酸化物、シリコン窒化物などを用いることができる。絶縁層５９は、バンクにより生じる段差を抑制する平坦化層であり、シリコン酸化物、シリコン窒化物などを用いることができる。基板５０は、画像表示部３０全体を保護する透光性の基板であり、例えば、ガラス基板を用いることができる。なお、図４においては、下部電極５５がアノード（陽極）、上部電極５７がカソード（陰極）の例を示しているが、これに限定されない。下部電極５５がカソード及び上部電極５７がアノードであってもよく、その場合は、下部電極５５に電気的に接続されている駆動用トランジスタＴｒ２の極性を適宜変えることも可能であり、また、キャリア注入層（ホール注入層及び電子注入層）、キャリア輸送層（ホール輸送層及び電子輸送層）、発光槽の積層順を適宜変えることも可能である。
【００２９】
画像表示部３０は、カラー表示パネルであり、図４に示すように、自発光層５６の発光成分のうち、第１副画素３２Ｒと画像観察者との間に第１原色光Ｌｒを通過させる第１カラーフィルタ６１Ｒが配置されている。画像表示部３０は、同様に、自発光層５６の発光成分のうち、第２副画素３２Ｇと画像観察者との間に第２原色光Ｌｇを通過させる第２カラーフィルタ６１Ｇが配置されている。画像表示部３０は、同様に、自発光層５６の発光成分のうち、第３副画素３２Ｂと画像観察者との間に第３原色Ｌｂを通過させる第３カラーフィルタ６１Ｂが配置されている。同様に、自発光層５６の発光成分のうち、第４副画素３２Ｗと画像観察者との間に第４原色Ｌｗになるように調整された発光成分を通過させる第４カラーフィルタ６１Ｗが配置されている。画像表示部３０は、第１原色光Ｌｒ、第２原色光Ｌｇ及び第３原色Ｌｂと異なる色成分を有する第４原色光Ｌｗを第４副画素３２Ｗから発光することができる。また、第４副画素３２Ｗと画像観察者との間にカラーフィルタが配置されていないようにしてもよく、画素３１は、自発光層５６の発光成分がカラーフィルタなどの色変換層を介さず、第１原色光Ｌｒ、第２原色光Ｌｇ及び第３原色Ｌｂと異なる色成分を有する第４原色光Ｌｗを第４副画素３２Ｗから発光することもできる。例えば、画素３１は、第４副画素３２Ｗに色調整用の第４カラーフィルタ６１Ｗの代わりに透明な樹脂層が備えられていてもよい。このように画素３１は、透明な樹脂層を設けることで、第４副画素３２Ｗに大きな段差が生じることを抑制することができる。
【００３０】
図５は、本実施形態に係る画像表示部の副画素の他の配列を示す図である。画像表示部３０は、第１副画素３２Ｒ、第２副画素３２Ｇ、第３副画素３２Ｂ及び第４副画素３２Ｗを含む副画素３２を２行２列で組み合わせた画素３１がマトリクス状に配置されている。
【００３１】
図６は、本実施形態の表示装置で再現可能な再現ＨＳＶ色空間の概念図である。図７は、再現ＨＳＶ色空間の色相と彩度との関係を示す概念図である。表示装置１００は、画素３１に第４の色（白色）を出力する第４副画素３２Ｗを備えることで、図６に示すように、ＨＳＶ色空間における明度のダイナミックレンジを広げることができる。つまり、図６に示すように、第１副画素３２Ｒ、第２副画素３２Ｇ及び第３副画素３２Ｂが表示することのできる円柱形状のＨＳＶ色空間に、彩度Ｓが高くなるほど明度Ｖの最大値が低くなる略台形形状となる立体が載っている形状となる。
【００３２】
第１入力信号ＳＲＧＢ１は、赤（Ｒ）成分、緑（Ｇ）成分、青（Ｂ）成分の各階調の入力信号を第１色情報として有するため、ＨＳＶ色空間の円柱形状、つまり、図６に示すＨＳＶ色空間の円柱形状部分の情報になる。
【００３３】
そして、色相Ｈは、図７に示すように０°から３６０°で表される。０°から３６０°に向かって、赤（Ｒｅｄ）、黄色（Ｙｅｌｌｏｗ）、緑（Ｇｒｅｅｎ）、シアン（Ｃｙａｎ）、青（Ｂｌｕｅ）、マゼンダ（Ｍａｇｅｎｔａ）、赤（Ｒｅｄ）となる。本実施形態では、角度０°を含む領域が赤となり、角度１２０°を含む領域が緑となり、角度２４０°を含む領域が青となる。
【００３４】
次に、図８から図１３Ｄを用いて、表示装置１００、変換処理部１０、置換比率算出部１５及び第４副画素信号処理部２０が実行する処理動作について説明する。図８は、本実施形態に係る画像表示方法を説明するためのフローチャートである。図９から図１２は、それぞれ本実施形態に係る画像表示方法を説明するための説明図である。図１２は、白成分の輝度とゲインとの関係の一例を示すグラフである。図１３Ａから図１３Ｄは、それぞれ信号と置換比率との関係の一例を示す説明図である。
【００３５】
表示装置１００は、表示装置１００に表示させる画像のデータである入力画像信号が第１色情報の第１入力信号ＳＲＧＢ１としてＣＰＵ等から入力されるＲＧＢ入力処理が実行される（ステップＳ１１）。表示装置１００は、第１入力信号ＳＲＧＢ１が入力されると、変換処理部１０でＲＧＢ変換処理を行い（ステップＳ１２）、第１入力信号ＳＲＧＢ１から第２入力信号ＳＲＧＢ２を生成する。ここで、ＲＧＢ変換処理としては、色変換処理や、γ補正が例示される。
【００３６】
表示装置１００は、ＲＧＢ変換処理を行ったら、Ｗ成分抽出処理を行う（ステップＳ１３）。具体的には、第２入力信号ＳＲＧＢ２の赤（Ｒ）成分、緑色（Ｇ）成分、青（Ｂ）成分に基づいて、白（Ｗ）成分に置換可能な割合（階調数、量）を抽出する。第４副画素信号処理部２０は、赤（Ｒ）成分、緑色（Ｇ）成分、青（Ｂ）成分の輝度の最小値を白（Ｗ）成分に置換可能な割合（量）として算出する。白（Ｗ）成分に置換可能な割合（階調数、量）とは、第２入力信号ＳＲＧＢ２の赤（Ｒ）成分、緑色（Ｇ）成分、青（Ｂ）成分のうち、白（Ｗ）成分に置換可能な割合（階調数、量）の全量である。ここで、本実施形態の表示装置１００は、Ｗ成分抽出処理を第４副画素信号処理部２０で行ったが置換比率算出部１５で行ってもよい。
【００３７】
表示装置１００は、置換比率算出部１５により第２入力信号ＳＲＧＢ２に基づいて、Ｗ置換比率を決定する（ステップＳ１４）。具体的には、ステップＳ１３で抽出した白（Ｗ）成分に置換可能な割合の全量のうち出力信号として白成分に置換するする割合（比率）を決定する。Ｗ置換比率は、０（０％）以上１（１００％）以下の値である。Ｗ置換比率の決定処理については、後述する。
【００３８】
表示装置１００は、Ｗ置換比率を決定したら、第４副画素信号処理部２０により、第２入力信号ＳＲＧＢ２における第２色情報と決定したＷ置換比率に基づいて、第１の色、第２の色、第３の色及び第４の色で再現される再現ＨＳＶ色空間の再現値（第３入力信号ＳＲＧＢＷ）に変換して生成するＲＧＢＷ信号処理を行う（ステップＳ１５）。第４副画素信号処理部２０は、例えば、赤（Ｒ）成分、緑（Ｇ）成分、青（Ｂ）成分の階調の最小値に対して、Ｗ変換比率を乗算することで、白（Ｗ）成分を算出し、算出した白（Ｗ）成分の階調分を第２色情報の赤（Ｒ）成分、緑（Ｇ）成分、青（Ｂ）成分から減算することで、第３入力信号ＳＲＧＢＷを生成する。
【００３９】
表示装置１００は、第４副画素信号処理部２０により、赤（Ｒ）成分、緑（Ｇ）成分、青（Ｂ）成分及び追加色成分として例えば白色（Ｗ）成分に変換した第３色情報を含む第３入力信号ＳＲＧＢＷを、画像表示部の駆動を制御する駆動回路４０へ出力する（ステップＳ１６）。表示装置１００は、各画素に対して上記処理を実行することで、画像表示パネル３０に画像を表示させることができる。
【００４０】
次に、ステップＳ１４のＷ置換比率決定処理について説明する。以下に示す例は、第２入力信号の赤（Ｒ）成分、緑（Ｇ）成分、青（Ｂ）成分のそれぞれの色の信号値Ｖ（Ｒ）、Ｖ（Ｇ）、Ｖ（Ｂ）のうち、信号値の最大値をＶｍａｘ、信号値の最小値をＶｍｉｎとして、ＶｍａｘとＶｍｉｎを用いて、置換比率を決定する処理の一例である。ここで、本実施形態の第２入力信号の赤（Ｒ）成分、緑（Ｇ）成分、青（Ｂ）成分は、輝度が０から２５５の階調であらわされている。ここで、信号値は、０が最も小さく、２５５が最も大きくなる。なお、階調数は、２５６階調に限定されず、種々の値とすることができる。
【００４１】
図９から図１１を用いて、置換比率の決定処理の一例を説明する。まず、表示装置１００は、赤（Ｒ）成分、緑（Ｇ）成分、青（Ｂ）成分の組み合わせにより、追加色成分である白色（Ｗ）成分を出力することができる。ここで、表示装置１００は、副画素の特性等により、白色（Ｗ）成分の色を表示させる場合でも、第１副画素３２Ｒと、第２副画素３２Ｇと、第３副画素３２Ｂを用い、赤（Ｒ）成分、緑（Ｇ）成分、青（Ｂ）成分の組み合わせで表示させた場合と、第４副画素３２Ｗを用いて白色（Ｗ）成分で表示させた場合とで、表示される色に誤差が生じる。図９にＷ成分量（Ｖｍｉｎの大きさ）と、ＷとＲＧＢの誤差と、の関係を示す。Ｗ成分量とは白に置換され出力される色の大きさであり、成分量が大きいほど白色の輝度が高くなる。Ｗ成分量は、Ｖｍｉｎから算出されるため、Ｖｍｉｎに対応する値となる。ＷとＲＧＢの誤差は、第４副画素３２Ｗを用いて表示させた場合と、第１副画素３２Ｒと、第２副画素３２Ｇと、第３副画素３２Ｂの組み合わせを用いて表示させた場合と、の色の誤差である。また、誤差Ａｓｐは、誤差の許容値である。
【００４２】
本実施形態の表示装置１００は、図９に示すように、Ｗ成分量が小さい場合、誤差大きくなり、所定のＷ成分量Ｗ１からＷ１よりも大きいＷ成分量Ｗ２までの間で、Ｗ成分量が大きくなるほど誤差が小さくなる。また、表示装置１００は、Ｗ成分量がＷ２より大きい場合には、ほぼ一定の低い誤差となる。また、Ｗ成分量がＷ２よりも大きいＷ３となった時に誤差が許容値である許容誤差Ａｓｐとなる。Ｗ成分量がＷ３よりも大きい場合、誤差が許容誤差Ａｓｐ以下となる。
【００４３】
この誤差に基づいて、白色の誤差だけを考慮し、誤差が一定、例えば、許容誤差Ａｓｐとなるように、信号値の最小値Ｖｍｉｎと第４副画素３２Ｗを用いた白（成分）成分の輝度との関係を設定すると、図１０に点線で示す理想特性の関係となる。この場合は、図１０に示すように、信号値の最小値Ｖｍｉｎと輝度は例えば比例関係とされる。しかし、図９に示すように信号値の最小値ＶｍｉｎがＷ３より小さい場合、すなわち白（成分）成分が小さいときは、第４副画素３２Ｗのみを用いて白（成分）成分を表示したときと第１副画素３２Ｒと第２副画素３２Ｇと、第３副画素３２Ｂのみを用いて白（成分）成分を表示したときの誤差が大きくなる。従って、信号値の最小値Ｖｍｉｎが小さい場合は、図１０の実線に示すように第４副画素３２Ｗを用いた白（成分）成分の輝度を小さくし、誤差を抑制する。第４副画素３２Ｗを用いた白（成分）成分の輝度を小さくした分は、第１副画素３２Ｒと第２副画素３２Ｇと第３副画素３２Ｂを用いて白を表示させる。
【００４４】
表示装置１００は、白色以外の色を表示させる場合、赤（Ｒ）成分、緑（Ｇ）成分、青（Ｂ）成分の信号値のいずれかが最小値Ｖｍｉｎを超える値となり、表示させる色の輝度は、白（成分）成分よりも高い輝度となる。例えば、最小値Ｖｍｉｎに依存する白色成分が、図１０のＷ１あるいはＷ２の場合であっても、他の成分の色が大きい場合、表示させる色の輝度は、Ｂ３となる場合がある。このような場合、白以外の成分が加わることにより全体の輝度に対する白色の輝度のが小さくなるため、第４副画素３２Ｗを用いて白成分を表示させても、第１副画素３２Ｒと第２副画素３２Ｇと第３副画素３２Ｂと第４副画素３２Ｗ全体の輝度に対する第４副画素３２Ｗの輝度の誤差は、許容値よりも小さくすることが可能となる。表示装置１００は、この関係を用いて、信号値の最小値Ｖｍｉｎが小さいため、第４副画素３２Ｗのみを用いて白（成分）成分を表示したときと、第１副画素３２Ｒと第２副画素３２Ｇと第３副画素３２Ｂのみを用いて白（成分）成分を表示したときと、の誤差が大きくなりやすい場合も誤差の許容値を越えない範囲で第４副画素３２Ｗの輝度を高くすることができる。
【００４５】
具体的には、表示装置１００は、表示させる色に基づいて、図１１に示すＷ置換率と表示色誤差との関係を算出し、算出した関係に基づいて許容誤差ＡｓｐとなるＷ置換率（置換比率）を算出する。ここで、図１１に示すＡｓｐは、（入力信号のＷ成分の輝度／入力信号の輝度）×（ＷとＲＧＢの誤差）で算出される値である。つまり、Ａｓｐは、輝度入力信号の輝度に対する入力信号のＷ成分の割合と、入力信号のＷ成分の割合に対応するＷとＲＧＢの誤差と、に応じて変動する値である。入力信号のＷ成分の輝度は、Ｖｍｉｎの白色の輝度である。
【００４６】
表示装置１００は、図１１に示す関係に基づいて、表示色誤差が許容値である許容誤差Ａｓｐ以下となる範囲で置換比率を決定する。好ましくは、誤差が、許容誤差Ａｓｐ以下となり許容誤差Ａｓｐに近い範囲である許容範囲に含まれる置換比率とする。
【００４７】
表示装置１００は、図１１の関係に基づいて、置換比率を決定することで、誤差を許容値以下とすることができる。また、表示装置１００は、図１１の関係に基づいて、置換比率を決定することで、図９に示す関係に基づいて、誤差Ａｓｐ以下になるように置換比率を決定するよりも、誤差Ａｓｐ以下を維持しつつ、置換比率を高くすることができる。
【００４８】
以下、具体的な演算方法の例を説明する。まず、置換比率算出部１５は、図１２に示すようなＶｍｉｎとＷ成分のゲイン値（Ｗａ値）との関係が記憶されている。本実施形態のＶｍｉｎは、白（Ｗ）成分に置換可能な信号値（階調数）の全量となる。ここで、図１２は、縦軸をゲイン値Ｗａとし、横軸をＶｍｉｎとしている。図１２に示す関係は、値Ｙ１がオフセット値として設定されており、Ｗａ値は、Ｙ１以上の値となる。Ｖｍｉｎが０からＸ１の間、つまり輝度の最小値が小さい間では、輝度の最小値が大きくなるにしたがって、ゲイン値ＷａがＹ１から微小に増加する。ＶｍｉｎがＸ１とＸ２との間では、輝度の最小値が大きくなるにしたがって、Ｗａ値が急激に増加する。ＶｍｉｎがＸ２となると、ゲイン値ＷａがＹ２となる。ＶｍｉｎがＸ２よりも大きい範囲では、Ｗａ値がＹ２で一定となる。なお、ＶｍｉｎとＷ成分のゲイン値Ｗａとの関係は、これに限定されないが、信号値の最小値が第１の所定値よりも小さい場合のゲイン値Ｗａよりも信号値の最小値が第２の所定値よりも大きい場合のゲイン値Ｗａ値の方が大きくなることが好ましい。なお、第２の所定値は、第１の所定値よりも大きい。また、ゲイン値Ｗａは、Ｖｍｉｎが小さい側の所定の範囲で急激に増加し、その後、Ｖｍｉｎが増加するにしたがって１００％に近づく傾向であることが好ましい。また、オフセットＹ１は０以上の所定の値とされる。
【００４９】
置換比率算出部１５は、図１２に示すＷａの関係を用いて、Ｗ置換比率Ｗｒを算出する。例えば、置換比率算出部１５は、下記式を用いてＷ置換比率Ｗｒを算出する。
Ｗｒ＝Ｗａ＋Ｗｂ
ここで、Ｗｂは、調整項である。つまり、本実施形態のＷ置換比率Ｗｒは、輝度の最小値で決定されるＷａに調整項Ｗｂを加算して算出する。調整項Ｗｂは、Ｗｂ＝ｆ(ｘ)×ｇ(ｘ)で算出される。ｆ(ｘ)は、信号値の最大値Ｖｍａｘと最小値Ｖｍｉｎの差分に基づいて算出する。また、ｆ(ｘ)は、ユーザが調整可能なオフセット値をさらに加算してもよい。ｆ（ｘ）は、第２入力信号の（画素データ）の（Ｖｍａｘ−Ｖｍｉｎ）の値に応じて変化する項となり、ＶｍａｘとＶｍｉｎの差が大きい時は１に近づく。ｇ（ｘ）は、ゲイン値Ｗａに応じて変化する項となり、ゲイン値Ｗａが高い領域では、ｇ（ｘ）が小さくなり、調整量はゼロに近づき、ゲイン値Ｗａが低い領域では１に近づく。
【００５０】
したがって、調整項Ｗｂは、ゲイン値Ｗａが高い領域またはＶｍａｘとＶｍｉｎの差が小さい領域では、小さい値となり、ゲイン値Ｗａが低い領域でかつＶｍａｘとＶｍｉｎの差が大きい領域である場合、大きい値となる。したがって、調整項Ｗｂは、Ｗａが低い領域でかつＶｍａｘとＶｍｉｎの差が大きい領域、ゲイン値Ｗａよりも大きい値となり、置換比率Ｗｒに対する寄与率（置換比率への影響力）が大きくなる。
【００５１】
表示装置１００は、置換比率算出部１５を用いて、Ｗ置換比率を決定し、その決定に基づいて、第３色情報を生成する。これにより、図１３Ａから図１３Ｄに示すように、第２色情報の各色のバランスにより、Ｗ置換比率を変動させることができる。
【００５２】
例えば、第２色情報が図１３Ａの色バランス１１０に示すように、緑（Ｇ）成分の信号値が高く、赤（Ｒ）成分、青（Ｂ）成分の輝度が低く、緑（Ｇ）成分の輝度と赤（Ｒ）成分、青（Ｂ）成分の信号値との差が大きい場合、信号値の最小値が小さくなる（図９のＸ１の近傍）が、信号値の差が大きくなる。この場合、Ｗａは小さくなるが、Ｗｂは大きくなるため、Ｗ置換比率が高くなる。これにより、色バランス１１２に示すように、赤（Ｒ）成分、緑（Ｇ）成分、青（Ｂ）成分のうち、白（Ｗ）成分に置換する割合が高く算出され、領域１１４のように、赤（Ｒ）成分、青（Ｂ）成分の大部分が白（Ｗ）成分に置換される。
【００５３】
次に、第２色情報が図１３Ｂの色バランス１２０に示すように、緑（Ｇ）成分の信号値が中程度で、赤（Ｒ）成分、青（Ｂ）成分の信号値が低く、緑（Ｇ）成分の輝度と赤（Ｒ）成分、青（Ｂ）成分の信号値との差が小さい場合、信号値の最小値が小さくなり（図１２のＸ１の近傍）、信号値の差も小さくなる。この場合、Ｗａは小さくなり、Ｗｂも小さくなるため、Ｗ置換比率が小さくなる。これにより、色バランス１２２に示すように、赤（Ｒ）成分、緑（Ｇ）成分、青（Ｂ）成分のうち、白（Ｗ）成分に置換する割合が小さく算出され、領域１２４のように、赤（Ｒ）成分、緑（Ｇ）成分、青（Ｂ）成分のうち白（Ｗ）成分に置換される割合が小さくなる。
【００５４】
次に、第２色情報が図１３Ｃの色バランス１３０に示すように、緑（Ｇ）成分の信号値が高く、赤（Ｒ）成分、青（Ｂ）成分の信号値も中程度で、緑（Ｇ）成分の信号値と赤（Ｒ）成分、青（Ｂ）成分の信号値との差が中程度の場合、信号値の最小値が中程度となり（図９のＸ１とＸ２の間）が、信号値の差も中程度となる。この場合、ゲイン値Ｗａが中程度となり、調整項Ｗｂも中程度なるため、Ｗ置換比率が中程度となる。これにより、色バランス１３２に示すように、赤（Ｒ）成分、緑（Ｇ）成分、青（Ｂ）成分のうち、白（Ｗ）成分に置換する割合が中程度で算出され、領域１３４のように、赤（Ｒ）成分、青（Ｂ）成分の一部が白（Ｗ）成分に置換される。なお、中程度の信号値とは、図１３Ａの輝度の低い色成分よりも高いが、信号値の高い色成分よりも低い信号値である。
【００５５】
次に、第２色情報が図１３Ｄの色バランス１４０に示すように、緑（Ｇ）成分の信号値が高く、赤（Ｒ）成分、青（Ｂ）成分の信号値も高く、緑（Ｇ）成分の信号値と赤（Ｒ）成分、青（Ｂ）成分の信号値との差が小さい場合、信号値の最小値が高くなり（図１２のＸ２よりも高くなり）、信号値の差が小さくなる。この場合、Ｗａが高くなり、Ｗｂが低くなるため、Ｗ置換比率が高くなる。これにより、色バランス１４２に示すように、赤（Ｒ）成分、緑（Ｇ）成分、青（Ｂ）成分のうち、白（Ｗ）成分に置換する割合が高い割合で算出され、領域１４４のように、赤（Ｒ）成分、青（Ｂ）成分の大部分が白（Ｗ）成分に置換される。
【００５６】
表示装置１００は、置換比率算出部１５で算出した置換比率を用いて、白（Ｗ）成分、つまり追加色成分に置換する割合を調整して、ＲＧＢの信号をＲＧＢＷの信号に変換することで、信号値が高い白（Ｗ）成分の第４副画素３２Ｗを用いて、画像を表示させることができるため、画素３２において、点灯率を低減することができる。つまり、他の色に比較して低い電力で高い輝度を出力できる第４副画素３２Ｗを用いて画像を再現し、第１副画素３２Ｒ、第２副画素３２Ｇ、第３副画素３２Ｂから出力する光の輝度を低減することで、消費電力を低減することができる。
【００５７】
また、置換比率算出部１５と第４副画素信号処理部２０で各色の成分を調整しながら、変換を行うことで、第４副画素３２Ｗを用いた場合でも再現する画像を維持することができる。
【００５８】
さらに、表示装置１００は、置換比率算出部１５で算出した置換比率を用いて、白（Ｗ）成分、つまり追加色成分に置換する割合を調整することで、第１副画素、第２副画素、第３副画素と第４副画素との間にある階調（信号値）と輝度との特性差や、階調（信号値）と視野角との特性差や、自発光で光を射出する副画素間の特性差で置換すると入力画像と再現される画像との誤差が大きくなる領域では、第４副画素に変換する割合を小さくすることができる。これにより、入力された画像に対して表示される画像の色の誤差が大きくなり、視認性が変化することを抑制しつつ、消費電力を低減することができる。
【００５９】
さらに、表示装置１００は、置換比率算出部１５で輝度の最小値に基づいて変動するＷゲイン値Ｗａに加え、調整項Ｗｂを用いて、置換比率を決定することで、ゲイン値Ｗａでは置換比率が低く算出される領域においても所定の条件を満たす場合、具体的には彩度が高い場合、置換比率を高くすることができる。これにより、彩度が高い、具体的には、任意の色成分の輝度が高い場合、置換比率を高くすることができ、消費電力をより低減することができる。また、彩度が高い画像（画素）は、当該彩度が高い画素の色が支配的となるため、白（Ｗ）成分に置換しても認識される色の変動が認識されにくい。また、彩度が高い画素は、白（Ｗ）成分に置換する割合を高くすることで、輝度伸長時に単色がオーバーフロー飽和し、色シフトを起こすことを抑制することができる。以上より、表示装置１００は色の誤差が大きくなり、視認性が変化することを抑制、つまり表示される画像の画質を維持しつつ、消費電力を低減することができる。
【００６０】
ここで、ｆ（ｘ）とｇ（ｘ）は、信号値に彩度Ｓを乗算してもよいし、信号値に換えて彩度を用いて算出してもよいし、彩度の二乗を用いて算出してもよい。彩度Ｓを用いることで、調整項の寄与率を調整することができる。彩度Ｓは、例えば信号値最大値から最小値を引いた値を、最大値で割った値である。
【００６１】
また、置換比率算出部１５は、ｆ（ｘ）とｇ（ｘ）をモードにより切り替え可能、モードで選択可能とすることが好ましい。この場合、置換比率算出部１５は、ｆ（ｘ）、ｇ（ｘ）に０、つまり、調整項Ｗｂを０とし、輝度の最小値で決定されるＷａが、置換比率となるモードを設けてもよい。モードを切り換え可能とすることで、ユーザーの使用用途に合わせて、出力データの白（Ｗ）成分の割合を調整することができる。
【００６２】
また、表示装置１００は、ユーザー調整、電力リミット等による輝度調整時に設定されるゲインに応じてモードを選択してもよい。ゲインに基づいてモードを決定する処理は、表示装置１００のいずれで行ってもよい。ここで、ゲインとは、パネルの表示可能な最大輝度に対する輝度比（レジスタ）である。
【００６３】
なお、上記実施形態では、調整項Ｗｂの算出に信号値の最大値と最小値を用いたがこれに限定されない。例えば、信号値の最小値に換えて、各色成分の信号値の中間値Ｖｍｉｄを用いてもよい。中間値Ｖｍｉｄは、中間の信号値となる色成分の信号値を用いてもよいし、全色の色成分の平均値を用いてもよい。
【００６４】
また、置換比率算出部１５は、信号値に基づいて、置換比率を決定（調整）することにも限定されない。置換比率算出部１５は、白（Ｗ）成分と他の色成分との輝度比をパラメータとして、置換比率を決定（調整）してもよい。例えば、第２色情報をＨＳＶ空間の信号とした場合、各色の信号値Ｖ（本実施形態は０から２５５の階調で示す。）を用いて、第２色情報の輝度（ａ）と第２色情報に含まれる白（Ｗ）成分の輝度（ｂ）の輝度比を求めて置換比率を決定する。ここで、第２色情報の各色の信号値は、Ｖ（Ｒ），Ｖ（Ｇ），Ｖ（Ｂ）とし、Ｒの輝度係数をｒｒ、Ｇの輝度係数をｇｇ、Ｂの輝度係数をｂｂとする。この時、第２色情報の輝度（ａ）白（Ｗ）成分の輝度（ｂ）は、下記式であらわすことができる。
（ａ）＝Ｖ（Ｒ）×ｒｒ＋Ｖ（Ｇ）×ｇｇ＋Ｖ（Ｂ）×ｂｂ
（ｂ）＝Ｖｍｉｎ（ＲＧＢ）×ｗｗ
なお、ｗｗは、Ｗの輝度係数であり、ｗｗ＝ｒｒ＋ｇｇ＋ｂｂとなる。
【００６５】
置換比率算出部１５は、上記第２色情報の輝度（ａ）白（Ｗ）成分の輝度（ｂ）を用いて、調整項を算出してもよい。
【００６６】
次に、置換比率算出部１５は、Ｖｍａｘ、Ｖｍｉｄ、Ｖｍｉｎを用いて、置換比率を決定（調整）してもよい。このとき、パラメータとして、Ｖｍｉｎ÷（Ｖｍａｘ＋Ｖｍｉｄ＋Ｖｍｉｎ）や、（Ｖｍａｘ−Ｖｍｉｎ）＋（Ｖｍｉｄ−Ｖｍｉｎ）や、（Ｖｍｉｎ÷Ｖｍａｘ）を用いることができる。置換比率算出部１５は、Ｖｍｉｎ÷（Ｖｍａｘ＋Ｖｍｉｄ＋Ｖｍｉｎ）を用いて、調整項を算出してもよい。また、置換比率算出部１５は、（Ｖｍａｘ−Ｖｍｉｎ）＋（Ｖｍｉｄ−Ｖｍｉｎ）を用いて、調整項を算出してもよい。上記パラメータを用いて、調整項Ｗｂを算出することでも、上記実施形態と同様に、第２色情報が所定の条件を満たす場合、調整項Ｗｂを高い値とすることができ、置換比率を高くすることができる。なお、彩度を用いる場合も、置換比率算出部１５は、ゲイン値Ｗａとｆ（ｘ）を比べて、大きい方の値をＷ置換比率としてもよい。
【００６７】
また、置換比率算出部１５は、輝度に換えて彩度と色相で置換比率を算出してもよい。このように、置換比率算出部１５は、第２色情報の輝度、明度（明るさ）、彩度、色相に基づいて、Ｗ置換比率を調整することで、色情報のバランスに対応した割合で白（Ｗ）成分に置換する割合を置換することができる。これにより、好適な画像を表示しつつ、電力消費を低減することができる。
【００６８】
置換比率算出部１５は、対応する画素３１の第２色情報に基づいて置換比率を算出したが、さらに他の情報を用いて、置換比率を調整してもよい。例えば、置換比率算出部１５は、対象の画像から、グラデーション、彩度分布等を検出して、算出したグラデーション、彩度分布に基づいて、置換比率を補正してもよい。
【００６９】
また、置換比率算出部１５は、画像全体（画面全体）のバランスや、消費電力に基づいて、置換比率を補正してもよい。具体的には、置換比率算出部１５は、画像全体の輝度情報によって置換比率を変える。例えば、点灯率（輝度）の高い画像は、置換比率を高くする設定とし、点灯率が低い画像は、置換しない、または置換比率を低くする設定としてもよい。また、輝度ゲインがかかるような場合、輝度ゲインに応じて、置換比率を行うかを切り換えてもよい。具体的には、ゲインが大きい場合、置換比率による調整を行うようにしてもよい。また、置換比率算出部１５は、画像全体の彩度情報によって置換比率を変える。例えば、彩度の高い画像は、置換比率による調整を行うようにしてもよい。置換比率算出部１５は、動画時、静止画の判定を行い、表示画像が動画か静止画かによって、算出される置換比率を変える、つまりモードを切り換えるようにしてもよい。また、置換比率算出部１５は、温度や信頼性の観点から、特定の劣化しやすい色を含むかを判定し、特定の劣化しやすい色を含む場合は、置換比率を高くするようにしてもよい。
【００７０】
また、置換比率算出部１５は、電力リミットがかかってしまう画像、つまり、現状では輝度等を全体的に低下して表示させる必要がある画像であると判定した場合、置換比率が高くなる設定で、置換比率を算出するようにしてもよい。また、置換比率算出部１５は、表示する画像が電力削減率の少ない画像、例えばＷ成分の少ない画像であると判定した場合、置換比率の算出を行わず、回路消費電力を削減するようにしてもよい。
【００７１】
また、表示装置は、外部から入力信号（色情報）にゲインがかかる場合、ゲインを当該フレームにリアルタイムに適用、または次フレームに適用することが好ましい。これにより、出力信号のＷ置換比率を一定に保つことができ、動的変化にも対応することができる。外部からのゲインには、上述したようにユーザー設定や電力制限などがある。なお、入力データにゲインをかけてからＲＧＢＷ変換処理を行う場合は、そのまま処理できる。
【００７２】
また、表示装置は、色相に応じて、置換比率を調整してもよい。例えば、信号値の最大値と最小値が同じでも、ＶｍａｘがＲＧＢのいずれであるかによって、置換比率が異なるようにしてもよい。これにより、色相に応じた白画素への置換を行うことができ、誤差率をより小さくしつつ、置換比率を高くすることができる。
【００７３】
また、上記実施形態では、変換処理部１０で第１色情報を第２色情報に変換したが、これに限定されない。表示装置１００は、変換処理部で変換を行わず、第１色情報を第４副画素信号処理部２０に入力し、第１色情報に基づいて置換比率を算出し、ＲＧＢＷ信号処理を行うようにしてもよい。
【００７４】
図１４は、他の実施形態に係る表示装置の構成の一例を示すブロック図である。図１５は、他の実施形態に係る画像表示方法を説明するためのフローチャートである。上記実施形態では、なお、上述した実施形態で説明したものと同じ構成要素には同一の符号を付して重複する説明は省略する。
【００７５】
図１４に示す表示装置１００Ａは、置換比率算出部１５Ａが第４副画素信号処理部２０で生成された一部が白（Ｗ）成分に置き換えられた仮入力信号ＲＧＢＷに基づいて置換比率を算出し、算出した置換比率を第４副画素信号処理部２０に入力する。第４副画素信号処理部２０に入力された置換比率に基づいて、置換比率算出部１５Ａに出力した仮入力信号ＲＧＢＷを補正し、出力信号ＳＲＧＢＷを生成し、出力する。
【００７６】
以下、図１５を用いて処理動作の一例を説明する。表示装置１００Ａは、表示装置１００Ａに表示させる画像のデータである入力画像信号が第１色情報の第１入力信号ＳＲＧＢ１としてＣＰＵ等から入力されるＲＧＢ入力処理が実行される（ステップＳ２１）。表示装置１００Ａは、第１入力信号ＳＲＧＢ１が入力されると、変換処理部１０でＲＧＢ変換処理を行い（ステップＳ２２）、第１入力信号ＳＲＧＢ１から第２入力信号ＳＲＧＢ２を生成する。ここで、ＲＧＢ変換処理としては、色変換処理や、γ補正が例示される。
【００７７】
表示装置１００Ａは、ＲＧＢ変換処理を行ったら、Ｗ成分抽出処理を行う（ステップＳ２３）。表示装置１００Ａは、Ｗ成分抽出処理を行ったら、第４副画素信号処理部２０により、第２入力信号ＳＲＧＢ２における第２色情報に基づいて、第１の色、第２の色、第３の色及び第４の色で再現される再現ＨＳＶ色空間の再現値（仮入力信号ＲＧＢＷ）に変換して生成するＲＧＢＷ信号処理を行う（ステップＳ２４）。
【００７８】
表示装置１００Ａは、ＲＧＢＷ信号処理を行い、仮入力信号ＲＧＢＷを生成したら、置換比率算出部１５Ａにより仮入力信号ＲＧＢＷに基づいて、Ｗ置換比率を決定する（ステップＳ２５）。仮入力信号ＲＧＢＷと外部からの入力や各種条件によって設定されるデータゲインに基づいて、Ｗ置換比率を決定する。
【００７９】
表示装置１００Ａは、Ｗ置換比率を決定したら、第４副画素信号処理部２０により、仮入力信号ＲＧＢＷをＷ置換比率に基づいて、補正し、第１の色、第２の色、第３の色及び第４の色で再現される再現ＨＳＶ色空間の再現値（第３入力信号ＳＲＧＢＷ）に変換して生成するＲＧＢＷ信号処理を行う（ステップＳ２６）。第４副画素信号処理部２０は、仮入力信号ＲＧＢＷをＷ置換比率で補正したのち、ゲイン等で変換する処理を行い、第３入力信号ＳＲＧＢＷを生成する。
【００８０】
表示装置１００は、第４副画素信号処理部２０により、赤（Ｒ）成分、緑（Ｇ）成分、青（Ｂ）成分及び追加色成分として例えば白色（Ｗ）成分に変換した第３色情報を含む第３入力信号ＳＲＧＢＷを、画像表示部の駆動を制御する駆動回路４０へ出力する（ステップＳ２７）。表示装置１００は、各画素に対して上記処理を実行することで、画像表示パネル３０に画像を表示させることができる。
【００８１】
このように、白（Ｗ）成分に置換した信号に対してゲインがかかる構造の場合、本実施形態のように、白成分を含む仮入力信号とゲインを加味して、置換比率を算出することで、データゲインに対応する部分を割り戻すことができ、置換比率を適正にすることができる。
【００８２】
また上記実施形態では、置換比率算出部１５を表示装置１００に内蔵させたがこれに限定されない。表示装置１００は、置換比率算出部１５を装置の外部、たとえば、入力映像信号を入力するＣＰＵ（表示装置１００を有する電子機器の演算部）に設けてもよい。
【００８３】
以上説明したように、実施形態５に係る、変換処理部１０は、入力映像信号を画像解析して全画素に表示するための第１色情報に色相の偏りがある場合、所定の画素に表示するための第１色情報に色相の偏りの重心に基づく補正量を加えてから第２色情報に変換する。これにより、画像全体の色相の偏りがある場合には、彩度減衰量は小さくなり、色の誤差が認識されにくくなる。
【００８４】
また、本実施形態では、第１副画素から第４副画素を、それぞれ赤（Ｒ）成分、緑（Ｇ）成分、青（Ｂ）成分、白（Ｗ）成分の４色の色を発光する福画素としたが、これに限定されない。表示装置は、第１副画素から第３副画素として、それぞれの副画素から発行される第１の色成分、第２の色成分、第３の色成分を混色することで追加色成分を表示できる種々の組み合わせを用いることができる。第４副画素は、第１副画素から第３副画素よりも輝度又は表示する電力効率が高く追加色成分を出力できればよい。また、追加色成分は、第１の色成分、第２の色成分、第３の色成分とは異なる色であればよい。
【００８５】
＜適用例＞
次に、図１６乃至図２４を参照して、上述した表示装置１００の適用例について説明する。以下、本実施形態の表示装置１００に適用した場合として説明するが他の実施形態の表示装置１００Ａの場合も同様である。図１６乃至図２４は、本実施形態に係る表示装置を適用する電子機器の一例を示す図である。本実施形態に係る表示装置１００は、携帯電話、スマートフォン等の携帯端末装置、テレビジョン装置、デジタルカメラ、ノート型パーソナルコンピュータ、ビデオカメラ、或いは、車両に設けられるメータ類などのあらゆる分野の電子機器に適用することが可能である。言い換えると、本実施形態に係る表示装置１００は、外部から入力された映像信号或いは内部で生成した映像信号を、画像或いは映像として表示するあらゆる分野の電子機器に適用することが可能である。電子機器は、表示装置１００に映像信号を供給し、表示装置１００の動作を制御する制御装置を備える。
【００８６】
（適用例１）
図１６に示す電子機器は、本実施形態に係る表示装置１００が適用されるテレビジョン装置である。このテレビジョン装置は、例えば、フロントパネル５１１及びフィルターガラス５１２を含む映像表示画面部５１０を有しており、この映像表示画面部５１０は、本実施形態に係る表示装置１００である。
【００８７】
（適用例２）
図１７及び図１８に示す電子機器は、本実施形態に係る表示装置１００が適用されるデジタルカメラである。このデジタルカメラは、例えば、フラッシュ用の発光部５２１、表示部５２２、メニュースイッチ５２３及びシャッターボタン５２４を有しており、その表示部５２２は、本実施形態に係る表示装置１００である。図１７に示すように、このデジタルカメラは、レンズカバー５２５を有しており、レンズカバー５２５をスライドさせることで撮影レンズが現れる。デジタルカメラは、その撮影レンズから入射する光を撮像することで、デジタル写真を撮影することができる。
【００８８】
（適用例３）
図１９に示す電子機器は、本実施形態に係る表示装置１００が適用されるビデオカメラの外観を表すものである。このビデオカメラは、例えば、本体部５３１、この本体部５３１の前方側面に設けられた被写体撮影用のレンズ５３２、撮影時のスタート／ストップスイッチ５３３及び表示部５３４を有している。そして、表示部５３４は、本実施形態に係る表示装置１００である。
【００８９】
（適用例４）
図２０に示す電子機器は、本実施形態に係る表示装置１００が適用されるノート型パーソナルコンピュータである。このノート型パーソナルコンピュータは、例えば、本体５４１、文字等の入力操作のためのキーボード５４２及び画像を表示する表示部５４３を有しており、表示部５４３は、本実施形態に係る表示装置１００である。
【００９０】
（適用例５）
図２１及び図２２に示す電子機器は、表示装置１００が適用される携帯電話機である。図２１は携帯電話機を開いた状態での正面図である。図２２は携帯電話機を折りたたんだ状態での正面図である。当該携帯電話機は、例えば、上側筐体５５１と下側筐体５５２とを連結部（ヒンジ部）５５３で連結したものであり、ディスプレイ５５４、サブディスプレイ５５５、ピクチャーライト５５６及びカメラ５５７を有している。当該ディスプレイ５５４は、表示装置１００が取り付けられている。なお、当該携帯電話機のディスプレイ５５４は、画像を表示する機能の他に、タッチ動作を検出する機能を有していてもよい。
【００９１】
（適用例６）
図２３に示す電子機器は、携帯型コンピュータ、多機能な携帯電話、音声通話可能な携帯コンピュータ又は通信可能な携帯コンピュータとして動作し、いわゆるスマートフォン、タブレット端末と呼ばれることもある、情報携帯端末である。この情報携帯端末は、例えば筐体５６１の表面に表示部５６２を有している。この表示部５６２は、本実施形態に係る表示装置１００である。
【００９２】
（適用例７）
図２４は、本実施形態に係るメータユニットの概略構成図である。図２４に示す電子機器は、車両に搭載されるメータユニットである。図２４に示すメータユニット（電子機器）５７０は、燃料計、水温計、スピードメータ、タコメータ等、複数の上述した本実施形態に係る表示装置１００を表示装置５７１として備えている。そして、複数の表示装置５７１は、ともに、一枚の外装パネル５７２に覆われている。
【００９３】
図２４に示す表示装置５７１それぞれは、表示手段としてのパネル５７３及びアナログ表示手段としてのムーブメント機構を互いに組み合わせた構成となっている。当該ムーブメント機構は、駆動手段としてのモータと、モータにより回転される指針５７４とを有している。そして、図２４に示すように、表示装置５７１では、パネル５７３の表示面に目盛表示、警告表示等を表示することができるとともに、ムーブメント機構の指針５７４がパネル５７３の表示面側において回転することが可能となっている。
【００９４】
なお、図２４では、一枚の外装パネル５７２に複数の表示装置５７１を設けた構成としたが、これに限定されない。外装パネル５７２によって囲まれた領域に１つの表示装置５７１を設け、当該表示装置に燃料計、水温計、スピードメータ、タコメータ等を表示させてもよい。
【００９５】
以上、本開示について説明したが、上述した内容により本開示が限定されるものではない。また、上述した本開示の構成要素には、当業者が容易に想定できるもの、実質的に同一のもの、いわゆる均等の範囲のものが含まれる。さらに、上述した構成要素は適宜組み合わせることが可能である。また、本開示の要旨を逸脱しない範囲で構成要素の種々の省略、置換及び変更を行うことができる。
【符号の説明】
【００９６】
１０  変換処理部
１５  置換比率算出部
２０  第４副画素信号処理部
３０  画像表示部（画像表示パネル）
３１  画素
３２  副画素
３２Ｒ  第１副画素
３２Ｇ  第２副画素
３２Ｂ  第３副画素
３２Ｗ  第４副画素
４０  画像表示パネル駆動回路
４１  信号出力回路
４２  走査回路
４３  電源回路
１００  表示装置
【図１】
2016014727.tif 000003
【図２】
2016014727.tif 000004
【図３】
2016014727.tif 000005
【図４】
2016014727.tif 000006
【図５】
2016014727.tif 000007
【図６】
2016014727.tif 000008
【図７】
2016014727.tif 000009
【図８】
2016014727.tif 000010
【図９】
2016014727.tif 000011
【図１０】
2016014727.tif 000012
【図１１】
2016014727.tif 000013
【図１２】
2016014727.tif 000014
【図１３Ａ】
2016014727.tif 000015
【図１３Ｂ】
2016014727.tif 000016
【図１３Ｃ】
2016014727.tif 000017
【図１３Ｄ】
2016014727.tif 000018
【図１４】
2016014727.tif 000019
【図１５】
2016014727.tif 000020
【図１６】
2016014727.tif 000021
【図１７】
2016014727.tif 000022
【図１８】
2016014727.tif 000023
【図１９】
2016014727.tif 000024
【図２０】
2016014727.tif 000025
【図２１】
2016014727.tif 000026
【図２２】
2016014727.tif 000027
【図２３】
2016014727.tif 000028
【図２４】
2016014727.tif 000029